(57)【要約】【課題】  受信可能な放送局をユーザに認知させて、ユーザが容易に所望の放送局を選局することができるようにする。【解決手段】  受信信号を復調し、この受信信号復調時のエラー数に係る情報を出力する復調部と、前記エラー数に係る情報と受信信号の電界強度との関係を表す第１の電界強度テーブルを記憶する記憶部と、前記復調部が出力するエラー数に係る情報と前記記憶部に記憶された第１の電界強度テーブルとに基づいて受信信号の電界強度を判定する演算部とを備え、前記演算部で判定された受信信号の電界強度に基づいて受信可能な放送局を認知させる。【選択図】        図１
2006191461.tif 000002
【特許請求の範囲】
【請求項１】
受信信号を復調し、この受信信号復調時のエラー数に係る情報を出力する復調部と、
前記エラー数に係る情報と受信信号の電界強度との関係を表す第１の電界強度テーブルを記憶する記憶部と、
前記復調部が出力するエラー数に係る情報と前記記憶部に記憶された第１の電界強度テーブルとに基づいて受信信号の電界強度を判定する演算部とを備えている受信装置。
【請求項２】
前記演算部で判定された受信信号の電界強度に基づいて受信可能な放送局を認知させる通知手段とを備えていることを特徴とする請求項１記載の受信装置。
【請求項３】
記憶部にはＡＧＣ電圧と電界強度との関係を示す第２の電界強度テーブルが記憶されており、
演算部はエラー数に係る情報及びＡＧＣ電圧と第１及び第２の電界強度テーブルとに応じて得られた電界強度をそれぞれ重み付けして得られた演算値に応じて受信信号の電界強度を判定するようにしたことを特徴とする請求項１又は請求項２記載の受信装置。
【請求項４】
記憶部にはキャリア対ノイズ比と電界強度との関係を示す第３の電界強度テーブルが記憶されており、
演算部はエラー数に係る情報及びキャリア及びノイズの関係と第１及び第３の電界強度テーブルとに応じて得られた電界強度をそれぞれ重み付けして得られた演算値に応じて受信信号の電界強度を判定するようにしたことを特徴とする請求項１又は請求項２記載の受信装置。
【請求項５】
記憶部にはＡＧＣ電圧と電界強度との関係を示す第２の電界強度テーブルとキャリア対ノイズ比と電界強度との関係を示す第３の電界強度テーブルが記憶されており、
演算部はエラー数に係る情報、ＡＧＣ電圧、及びキャリア及びノイズの関係と第１〜第３の電界強度テーブルとに応じて得られた電界強度をそれぞれ重み付けして得られた演算値に応じて受信信号の電界強度を判定するようにしたことを特徴とする請求項１又は請求項２記載の受信装置。
【請求項６】
記憶部にはＡＧＣ電圧と電界強度との関係を示す第２の電界強度テーブルが記憶されており、
演算部はエラー数に係る情報及びＡＧＣ電圧と第１及び第２の電界強度テーブルとに応じて得られた電界強度を平均化して受信信号の電界強度を判定するようにしたことを特徴とする請求項１又は請求項２記載の受信装置。
【請求項７】
記憶部にはキャリア対ノイズ比と電界強度との関係を示す第３の電界強度テーブルが保有されており、
演算部はエラー数に係る情報及びキャリア及びノイズの関係と第１及び第３の電界強度テーブルとに応じて得られた電界強度を平均化して受信信号の電界強度を判定するようにしたことを特徴とする請求項１又は請求項２記載の受信装置。
【請求項８】
記憶部にはＡＧＣ電圧と電界強度との関係を示す第２の電界強度テーブルとキャリア対ノイズ比と電界強度との関係を示す第３の電界強度テーブルが記憶されており、
演算部はエラー数に係る情報、ＡＧＣ電圧、及びキャリア及びノイズの関係と第１〜第３の電界強度テーブルとに応じて得られた電界強度を平均化して受信信号の電界強度を判定するようにしたことを特徴とする請求項１又は請求項２記載の受信装置。
【発明の詳細な説明】
【技術分野】
【０００１】
この発明は、デジタル放送を受信するための受信装置に関し、特に、移動体に搭載されて受信可能な放送局を受信電界強度に応じて選別することのできる受信装置に関するものである。
【背景技術】
【０００２】
一般に、デジタル放送（例えば、地上デジタル放送）においては、デジタル放送波を受信可能であれば、高画質／高音質でデジタル放送を受信することができるものの、一旦デジタル放送局の受信エリア（サービスエリア）から外れてしまうと、突然受信が寸断されるという事態が生じる。このため、車両等の移動体に乗車中にデジタル放送を視聴していたユーザは今まで高画質／高音質でデジタル放送を視聴していたにも拘わらず、突然デジタル放送の視聴ができないという事態に遭遇する。
【０００３】
例えば、移動体が受信エリアの境界付近を走行中においては、移動体が受信エリア中に位置する際には、デジタル放送を高画質／高音質で視聴できるものの、移動体は受信エリア外に移動する可能性が高く、受信エリアから外れると突然デジタル放送の受信ができないという事態となってしまう。
【０００４】
このような事態を解消するため、選局部で選局したチャンネルの放送信号のテキスト信号から一定時間内での特定データのパリティエラー数をカウントするとともに、選局したチャンネルの放送信号の有無と周波数と放送局名とを記憶しておき、同一放送局名の複数の放送信号について記憶されている周波数から一定周波数ずらせて再度選局を行って、エラーの最小であった放送局を高順位に並べ替えるようにして、ユーザがエラーの最小であった放送局を選択すれば、移動体走行中においても長時間に亘ってデジタル放送の視聴を行うことができる（例えば、特許文献１参照）。
【０００５】
さらに、移動体においてデジタル地上波による番組を受信する際、所望する番組を途絶えることなく視聴することができるようにするため、ＯＦＤＭ復調回路から得られる電界強度データに応じて受信状態が劣化したか否か判断して、受信状態が劣化して現在受信中の階層について受信困難な状態に近づくと、エラー耐性の強い下位階層に受信対象を切り換えるようにしたものがある（例えば、特許文献２参照）。
【０００６】
また、受信状態の良否を容易に認識できるようにするため、受信電波の受信電界強度を予め規定された段階に分けて受信品質として表示するようにしたものがある（例えば、特許文献３参照）。
【０００７】
【特許文献１】特開平１１−２５１８７５号公報（第２頁〜第４頁、第１図〜第２図）
【特許文献２】特開２００３−２７３７６０公報（第３頁〜第６頁、第１図〜第２図）
【特許文献３】実開昭６０−１４５２９号公報（第４頁〜第６頁、第１図〜第３図）
【発明の開示】
【発明が解決しようとする課題】
【０００８】
従来の受信装置は以上のように構成されているので、つまり、パリティエラー数をカウントしてエラーが最小の放送局を高順位に並べるように構成されているので、パリティエラー数をカウントしただけでは、受信電界強度が低下したか否かを精度よく判別することができないという課題があった。
【０００９】
また、従来の受信装置では、ＯＦＤＭ復調回路から得られる電界強度データに応じて受信状態が劣化したか否かを判定しているものの、その判定結果に応じてエラー耐性の強い下位階層に受信対象を切り替えているだけであって、移動体において受信可能なデジタル放送を電界強度が強い順に並べて表示することができず、その結果、ユーザが所望のデジタル放送を選択視聴することが難しいという課題があった。
【００１０】
さらに、従来の受信装置では、現在受信中の放送に係る受信電界強度を予め規定された段階に分けて受信品質として表示しているだけであるので、複数のデジタル放送を受信電界強度に応じて表示することが難しいという課題があった。
【００１１】
この発明は上記のような課題を解決するためになされたもので、移動体の移動に応じて受信可能なデジタル放送を放送局毎に受信電界強度の高い順に表示して、ユーザが容易に所望の放送局を選局することのできる受信装置を得ることを目的とする。
【課題を解決するための手段】
【００１２】
この発明に係る受信装置は、受信信号を復調し、この受信信号復調時のエラー数に係る情報を出力する復調部と、エラー数に係る情報と受信信号の電界強度との関係を表す第１の電界強度テーブルを記憶する記憶部と、復調部が出力するエラー数に係る情報と記憶部に記憶された第１の電界強度テーブルとに基づいて受信信号の電界強度を判定する演算部とを備えていることを特徴とするとするものである。
【発明の効果】
【００１３】
以上のように、この発明によれば、受信信号を復調する際のエラー数と第１の電界強度テーブルとに応じて受信信号の電界強度を判定するように構成したので、電界強度の判定結果を用いて受信可能な受信信号（例えば、放送波）を放送局毎にユーザに認知させることができるという効果がある。
【発明を実施するための最良の形態】
【００１４】
実施の形態１．
図１は本発明の実施の形態１による受信装置の一例を示すブロック図であり、図示の受信装置は、例えば、地上デジタル放送を受信するための受信装置であり、車両等の移動体に搭載される車載用テレビ／ラジオ受信装置又は携帯用テレビ／ラジオ受信装置である。地上デジタル放送においては、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。そして、一つのＴＳには少なくとも一つの放送サービスが含まれており、各放送サービスにはサービス識別番号（ＴＳ＿ＩＤ）が付与されている。そして、受信装置においてデジタル放送を受信する際には、このサービス識別番号に基づいて所望の放送サービス（放送チャンネル）を選局するようにしている。
【００１５】
また、デジタル放送においては、一つの放送局において放送サービス毎にＳＤ（Ｓｔａｎｄａｒｄ  Ｄｅｆｉｎｉｔｉｏｎ）番組を放送し、一方、全ての放送サービスについて同一のＨＤ（Ｈｉｇｈ  Ｄｅｆｉｎｉｔｉｏｎ）番組を放送することが行われている。つまり、デジタル放送においては、一つのデジタル放送波で一つのＨＤ番組を放送するか又は各放送サービス毎にそれぞれＳＤ番組を放送することができる。そして、一つのデジタル放送波で一つのＨＤ番組が放送される際には、複数の放送サービスにおいて同一のＨＤ番組が共有されることになる。
【００１６】
地上デジタル放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳには、デジタル映像信号（ビデオストリーム）、デジタル音声信号（オーディオストリーム）、及びサービス情報（Ｓｅｒｖｉｃｅ  Ｉｎｆｏｒｍａｔｉｏｎ：ＳＩ情報）が含まれ、このＳＩ情報には、例えば、ＴＳ＿ＩＤ、送信チャンネル、放送局名、番組情報、及び放送対象地域等を示すデータが含まれている。
【００１７】
図１において、受信装置１０は、アンテナ１１、チューナ（ダウンコンバータを含む）１２、復調部１３、及び制御部１４を有しており、復調部１３にはアナログデジタル変換器（ＡＤＣ）２１、直交検波器２２、ＦＦＴ（高速フーリエ変換（Ｆａｓｔ  Ｆｏｕｒｉｅｒ  Ｔｒａｎｓｆｏｒｍ）回路２３、フィルタ２４、インターリーブ回路２５、デマッピング回路２６、ビタビ復号器２７、ＴＳ再生回路２８、及びリードソロモン（ＲＳ）復号器２９が備えられている。また、制御部１４にはＣＰＵ（演算部）３１及び記憶部（メモリ）３２が備えられている。
【００１８】
チューナ１２で選局されたチャンネルの放送サービスに係るデジタル放送波はアンテナ１１を介して受信され、ダウンコンバータによってベースバンド帯域までダウンコンバートされる。チューナ１２から出力されたアナログ信号は復調部１３に与えられ、まずＡＤＣ２１でデジタル信号に変換された（離散化された）後、直交検波器２２で直交検波される。そして、直交検波器２２の出力はＦＦＴ回路２３に与えられ、ここで、ＦＦＴ（高速フーリエ変換）が行われて時間領域の信号から周波数領域の信号に変換される。この周波数領域信号はフィルタ（例えば、帯域フィルタ）２４を介してインターリーブ回路２５に与えられて、ここでインターリーブ処理された後、デマッピング回路２６でデマッピング処理される。
【００１９】
デマッピング回路２６からの出力はビタビ復号器２７でビタビ復号された後（ビタビ復号器２７からの出力が復調信号である）、ＴＳ再生回路２８に与えられて、ここでＴＳが再生される。そして、ＲＳ復号器２９においてＲＳ復号処理が行われて、ＴＳ出力が送出される。
【００２０】
ところで、ダウンコンバータはＣＰＵ３１を経由して、あるいは復調部１３から直接ＡＧＣ（自動利得制御（Ａｕｔｏｍａｔｉｃ  Ｇａｉｎ  Ｃｏｎｔｒｏｌ）されており、ダウンコンバータからはＣＰＵ３１にＡＧＣ電圧が与えられる（このＡＧＣ電圧は、例えばチューナ１２が自ら生成する情報に基づいてその内部で発生する）。また、ＦＦＴ回路２３においてＦＦＴ処理を行った際には、Ｃ／Ｎ比（キャリア対ノイズ比）が得られ、このＣ／Ｎ比はＣＰＵ３１に与えられる。さらに、ビタビ復号器２７でビタビ復号処理を行った際には、エラー訂正が行われることになるが、ビタビ復号器２７で訂正されたエラー訂正数（ビットエラーレート）がＣＰＵ３１に与えられ、後述するように、ＣＰＵ３１はメモリ３２に予め記憶された電界強度参照テーブルを参照して、その受信電界強度を求める。そして、複数の放送局について受信電界強度を求めて受信電界強度の高い順に放送局をソートして表示する。なお、エラー訂正数はエラー数と数学的に等価であり、互換性がある。
【００２１】
復調する前の信号レベル（ＦＦＴ回路図２３の出力）を縦軸、周波数を横軸とした図２を参照すると、前述のＣ／Ｎ比は受信電界強度が高くなると高くなり（図２（ａ）参照）、受信電界強度が低くなると低くなる（図（ｂ）参照）という比例関係にある。一方、ビットエラーレート（ＢＥＲ）は、図３に示すように、受信電界強度が高くなって所定のレベルを越えた時点でエラー訂正数が急激に低くなることが分かる。つまり、Ｃ／Ｎ比及びＢＥＲは受信電界強度と相関関係にある。同様にして、ＡＧＣ電圧（以下単にＡＧＣと呼ぶ）も受信電界強度と相関関係にある。
【００２２】
図１に示す受信装置１０においては、予めＢＥＲと受信電界強度との関係を測定して、ＢＥＲ−受信電界強度テーブルとしてメモリ３２に記憶しておくとともに、Ｃ／Ｎ比と受信電界強度との関係を測定して、Ｃ／Ｎ比−受信電界強度テーブルとしてメモリ３２に記憶する。同様に、ＡＧＣと受信電界強度との関係を測定して、ＡＧＣ−受信電界強度テーブルとしてメモリ３２に記憶する。図４（ａ）はＢＥＲ、Ｃ／Ｎ比、及びＡＧＣと受信電界強度（ｄＢμＶ）との関係を測定した一例であり、図４（ａ）に示す関係から、ＢＥＲ−受信電界強度テーブル、Ｃ／Ｎ比−受信電界強度テーブル、及びＡＧＣ−受信電界強度テーブルを求めることになる。
【００２３】
さらに、メモリ３２には、重み係数テーブルが記憶されており、エラー訂正数、ＡＧＣ、及びＣ／Ｎ比の値毎にそれぞれ異なる重み係数が用いられる。いま、エラー訂正数に対応する重み係数をｋ１、ＡＧＣに対応する重み係数をｋ２、Ｃ／Ｎ比に対応する重み係数をｋ３で表すと、例えば、図４（ｂ）に示すように、重み係数ｋ１は、受信電界強度に対応付けて１〜３の数値が用いられ、重み係数ｋ２は受信電界強度に対応付けて２〜３の数値が用いられる。また、重み係数ｋ２は、受信電界強度に対応付けて１〜２の数値が用いられる。
【００２４】
なお、これらＢＥＲ−受信電界強度テーブル、Ｃ／Ｎ比−受信電界強度テーブル、及びＡＧＣ−受信電界強度テーブルは一括して受信電界強度テーブルとしてメモリ３２に記憶される。図５は受信電界強度テーブルの一例であり、図４に示す測定結果に応じて受信電界強度（ｄＢｍ）毎にそれぞれエラー訂正数、ＡＧＣ、及びＣ／Ｎ比が記憶されている。
【００２５】
次に動作について説明する。
図１、図６及び図７を参照して、いま、地上デジタル放送のある任意のチャンネル（ｃＨ）を受信すると（ステップＳＴ１）、前述したように、ＣＰＵ３１はダウンコンバータに対してＡＧＣ制御を行い、この際のＡＧＣ電圧がＣＰＵ３１に与えられる（ステップＳＴ２）。同様にして、ＦＦＴ回路２３からＣ／Ｎ比がＣＰＵ３１に与えられ（ステップＳＴ３）、ビタビ復号器２７からエラー訂正数がＣＰＵ３１に与えられる（ステップＳＴ４）。
【００２６】
ＣＰＵ３１では検知回路３１ａによってこれらエラー訂正数、ＡＧＣ、及びＣ／Ｎ比を検知して、検知回路３１ａは電界強度テーブル参照回路３１ｂにエラー訂正数、ＡＧＣ、及びＣ／Ｎ比をそれぞれ検知エラー訂正数（第１の検知値）、検知ＡＧＣ（第２の検知値）、及び検知Ｃ／Ｎ比（第３の検知値）として与える。電界強度テーブル参照回路３１ｂでは検知エラー訂正数、検知ＡＧＣ、及び検知Ｃ／Ｎ比に応答してメモリ３２をアクセスして、図５に示す電界強度テーブルを参照して、検知エラー訂正数、検知ＡＧＣ、及び検知Ｃ／Ｎ比に対応する電界強度をそれぞれ第１、第２、及び第３の電界強度ＢＥＲ、ＡＧＣ、ＣＮとして読み出して、重み係数テーブル参照回路３１ｃに与える。なお、エラー数は予め規定された関数式に基づいて「１／０」の配列で送信されるが、この配列自体がエラー又はアンプのノイズ等によって一部のビットで「１」から「０」へ又は「０」から「１」へとその値が変わってしまう現象が発生する。この変化した値を調べることがエラー数を検知したことに相当する。
【００２７】
重み係数参照テーブル３１ｃでは、メモリ３２をアクセスして、第１〜第３の電界強度ＢＥＲ、ＡＧＣ、及びＣＮに対応する重み係数ｋ１〜ｋ３を重み係数参照テーブルから読み出して、第１〜第３の電界強度とともに重み係数ｋ１〜ｋ３を演算回路３１ｄに与える。演算回路３１ｄでは、例えば、ｆ（ｘ）＝ｋ１×ＢＥＲ＋ｋ２×ＡＧＣ＋ｋ３×ＣＮを求めて（ステップＳＴ５）、算出値として電界強度決定回路３１ｅに与える。
【００２８】
メモリ３２には電界強度判定テーブルが記憶されており、この電界強度判定テーブルには重み係数を掛けて求められた算出値に応じた電界強度が格納されている。そして、電界強度決定回路３１ｅでは電界強度判定テーブルを参照して、算出値に応じた電界強度を得て、受信チャンネルにおける電界強度とする（ステップＳＴ６）。
【００２９】
その後、ＣＰＵ３１ではチューニングが終了したか否かを調べて（ステップＳＴ７）、チューニングが終了していないと、ステップＳＴ１に戻って別のチャンネルを受信する。一方、チューニングが終了すると、全ての受信チャンネルについて、受信電界強度が高い順にソーティングして（ステップＳＴ８）、例えば、その結果をモニター３１１に表示して、受信可能な放送局をユーザに認知させる。さらに、得られた電界強度の算出値を用い、電界強度が下がってくるとフェードアウト、電界強度が上がってくるとフェードインするような機能にも応用できる。なお、モニター３１１への表示に加えてスピーカ（図示せず）から音声で受信可能な放送局を報知するようにしてもよく、モニター３１１への表示の代わりにスピーカから音声で受信可能な放送局を報知するようにしてもよい。
【００３０】
上述の例では、エラー訂正数、ＡＧＣ、及びＣ／Ｎ比を検知して、これらエラー訂正数、ＡＧＣ、及びＣ／Ｎ比に対応する電界強度を電界強度テーブルから得て、重み付けを行った後、電界強度を決定するようにしたが、エラー訂正数のみを用いてエラー訂正数に対応する電界強度を電界強度テーブルから得て、この電界強度を決定するようにしてもよく、エラー訂正数に加えて、ＡＧＣ及びＣ／Ｎ比の少なくとも一つを用いるようにすれば、精度よく電界強度を決定することができる。
【００３１】
さらに、重み係数を用いることなく、図８に示すように、第１、第２、及び第３の電界強度ＢＥＲ、ＡＧＣ、ＣＮを平均化回路３１ｆを用いて平均化して、その結果を受信電界強度として決定するようにしてもよい。
【００３２】
また、上述の例では、第１〜第３電界強度テーブルにはそれぞれエラー訂正数、ＡＧＣ、及びＣ／Ｎ比に対応して電界強度（ｄＢμＶ）を記憶するようにしたが、第１〜第３の電界強度テーブルにはそれぞれエラー訂正数、ＡＧＣ、及びＣ／Ｎ比に応じて数段階で電界強度を記憶するようにしてもよい（例えば、５段階で電界強度を表すようにしてもよい）。更に、上述の例では、ＡＧＣ電圧は、チューナ１２が生成する情報に基づいてその内部で発生するとして説明したが、ＣＰＵ３１がＦＦＴ回路２３から出力されるキャリア情報に基づいて生成するようにしてもよい。
【００３３】
以上のように、この実施の形態１によれば、デジタル放送波を復調して復調信号を得る際のエラー訂正数を第１の検知値として検知して、エラー訂正数に対応して受信電界強度が記憶された電界強度テーブルを第１の検知値に応じて参照して得た受信電界強度に基づいて、受信デジタル放送波の受信電界強度を決定するように構成したので、移動体の移動に応じて受信電界強度を判定することができるという効果がある。
【００３４】
この実施の形態１によれば、複数のデジタル放送波を受信して、受信電界強度の高い順にデジタル放送波のチャンネルをソートして表示するように構成したので、ユーザは容易に移動体に搭載された受信装置で受信可能なデジタル放送波を判断できるという効果がある。
【００３５】
この実施の形態１によれば、さらにデジタル放送波を受信してダウンコンバートする際のＡＧＣ電圧を第２の検知値として検知して、電界強度テーブルにＡＧＣ電圧に対応して第２の受信電界強度を記憶しておき、第１及び第２の検知値に基づいて電界強度テーブルを参照して第１及び第２の受信電界強度を得て、これら第１及び第２の受信電界強度をそれぞれ重み付けして演算値を得るか又は平均化して平均受信電界強度を得て、この演算値又は平均化受信電界強度に応じて受信デジタル放送波の受信電界強度を決定するように構成したので、より精度よく移動体の移動に応じてデジタル放送波の受信電界強度を決定できるという効果がある。
【００３６】
この実施の形態１によれば、さらにデジタル放送波のＣＮ比を第３の検知値として検知して、電界強度テーブルにＣ／Ｎ比に対応して第３の受信電界強度を記憶しておき、第１及び第３の検知値に基づいて電界強度テーブルを参照して第１及び第３の受信電界強度を得て、これら第１及び第３の受信電界強度をそれぞれ重み付けして演算値を得るか又は平均化して平均受信電界強度を得て、この演算値又は平均化受信電界強度に応じて受信デジタル放送波の受信電界強度を決定するように構成したので、より精度よく移動体の移動に応じてデジタル放送波の受信電界強度を決定できるという効果がある。
【００３７】
この実施の形態１によれば、さらにデジタル放送波を受信してダウンコンバートする際のＡＧＣ電圧を第２の検知値として検知するとともに、デジタル放送波のＣ／Ｎ比を第３の検知値として検知して、電界強度テーブルにＡＧＣ電圧及びＣ／Ｎ比に対応してそれぞれ第２及び第３の受信電界強度を記憶しておき、第１〜第３の検知値に基づいて電界強度テーブルを参照して第１〜第３の受信電界強度を得て、これら第１〜第３の受信電界強度をそれぞれ重み付けして演算値を得るか又は平均化して平均受信電界強度を得て、この演算値又は平均化受信電界強度に応じて受信デジタル放送波の受信電界強度を決定するように構成したので、極めて精度よく移動体の移動に応じてデジタル放送波の受信電界強度を判定できるという効果がある。
【図面の簡単な説明】
【００３８】
【図１】この発明の実施の形態１による受信装置の構成を示すブロック図である。
【図２】Ｃ／Ｎ比と受信電界強度との関係を示す図であり、（ａ）は強電界強度の際のＣ／Ｎ比を示す図、（ｂ）は低電界強度の際のＣ／Ｎ比を示す図である。
【図３】エラー訂正数と受信電界強度の関係を示す図である。
【図４】誤り訂正数（ＢＥＲ）、Ｃ／Ｎ比、及びＡＧＣと受信電界強度との関係を説明するための図であり、（ａ）はＢＥＲ、Ｃ／Ｎ比、及びＡＧＣと受信電界強度との関係を測定した結果の一例を示す図であり、（ｂ）はＢＥＲ、Ｃ／Ｎ比、及びＡＧＣの受信電界強度に応じた重み係数の一例を示す図である。
【図５】図１に示すメモリに記憶される電界強度テーブルの一例を示す図である。
【図６】図１に示すＣＰＵの動作の一例を説明するための機能ブロック図である。
【図７】図１に示す受信装置の動作を説明するためのフローチャートである。
【図８】図１に示すＣＰＵの他の例を説明するための機能ブロック図である。
【符号の説明】
【００３９】
１０  受信装置、１１  アンテナ、１２  チューナ、１３  復調部、１４  制御部、  ２１  アナログデジタル変換器（ＡＤＣ）、２２  直交検波器、２３  ＦＦＴ回路、２４  フィルタ、２５  インターリーブ回路、２６  デマッピング回路、２７  ビタビ復号器、２８  トランスポートストリーム（ＴＳ）再生回路、２９  リードソロモン（ＲＳ）復号器、３１  ＣＰＵ（演算部）、３１ａ  検知回路、３１ｂ  電界強度テーブル参照回路、３１ｃ  重み係数テーブル参照回路、３１ｄ  演算回路、３１ｅ  電界強度決定回路、３１ｆ  平均化回路、３２  記憶部（メモリ）。
【図１】
2006191461.tif 000003
【図２】
2006191461.tif 000004
【図３】
2006191461.tif 000005
【図４】
2006191461.tif 000006
【図５】
2006191461.tif 000007
【図６】
2006191461.tif 000008
【図７】
2006191461.tif 000009
【図８】
2006191461.tif 000010